(57)【要約】  本発明は、磁気共鳴イメージングシステム、磁気共鳴イメージングシステムを動作させる方法、及び磁気共鳴イメージングシステムを動作させるためのコンピュータプログラムに関する。磁気共鳴イメージングシステムにおけるケーブルの数をかなり削減するために、磁気共鳴イメージングシステム1が提案され、そのシステムは、検査のための身体を受け入れるよう構成される検査ゾーン5と、検査ゾーン5における磁場を生成する磁場生成手段9,10,24と、検査ゾーン5内又は検査ゾーン5の近傍に配置される受信ユニット14と、検査ゾーン5内又は検査ゾーン5の近傍に配置され、かつ受信ユニット14から分離して配置されるインタフェースユニット17と、受信ユニット14及びインタフェースユニット17から離れた位置2に配置される信号処理ユニット21とを有する。受信ユニット14は、検査ゾーン5に生成されるスピン共鳴信号を受信する受信機15と、そのスピン共鳴信号をインタフェースユニット17に送信する送信機16とを有する。インタフェースユニット17は、スピン共鳴信号を受信する受信機20と、受信されるスピン共鳴信号に応じてデジタル信号を生成するアナログデジタル変換器19と、前記信号処理ユニット21にデジタル化された信号を送信するトランシーバ20とを有する。
2008534104.tif 000002
【特許請求の範囲】
【請求項１】
検査のための身体を受け入れる検査ゾーンと、
前記検査ゾーンにおける磁場を生成する磁場生成手段と、
前記検査ゾーン内又は前記検査ゾーンの近傍に配置される受信ユニットと、
前記検査ゾーン内又は前記検査ゾーンの近傍に配置され、前記受信ユニットとは分離して配置されるインタフェースユニットと、
前記受信ユニット及び前記インタフェースユニットから離れた位置に配置される信号処理ユニットとを有し、
前記受信ユニットが、前記検査ゾーンに生成されるスピン共鳴信号を受信する受信機と、前記インタフェースユニットに前記スピン共鳴信号を送信する送信機とを有し、
前記インタフェースユニットが、前記スピン共鳴信号を受信する受信機と、前記受信されるスピン共鳴信号に基づき、デジタル信号を生成するアナログデジタル変換器と、前記デジタル化された信号を前記信号処理ユニットに送信する送信機とを有する、磁気共鳴イメージングシステム。
【請求項２】
前記インタフェースユニットが、異なる受信機からスピン共鳴信号を受信するよう構成される、請求項１に記載の磁気共鳴イメージングシステム。
【請求項３】
前記インタフェースユニット及び前記信号処理ユニットが、シングルケーブル、少数のパラレルケーブル、光学ファイバ又は無線リンクを用いて接続される、請求項１に記載の磁気共鳴イメージングシステム。
【請求項４】
前記インタフェースユニットが、信号調整手段を有する、請求項１に記載の磁気共鳴イメージングシステム。
【請求項５】
前記インタフェースユニットが、集積回路として実現される、請求項１に記載の磁気共鳴イメージングシステム。
【請求項６】
前記インタフェースユニットが、前記検査ゾーンに前記身体を配置するためのテーブル内又はテーブルに配置される、請求項１に記載の磁気共鳴イメージングシステム。
【請求項７】
測定パルスを生成する送信機を有する、請求項１に記載の磁気共鳴イメージングシステム。
【請求項８】
前記インタフェースユニットが、前記受信ユニットの前記送信機に対する無線周波数信号を生成する生成器を有する、請求項７に記載の磁気共鳴イメージングシステム。
【請求項９】
磁気共鳴イメージングシステムにおいて使用するインタフェースユニットであって、前記磁気共鳴イメージングシステムが、検査のための身体を受け入れる検査ゾーンと、前記検査ゾーンにおける磁場を生成する磁場生成手段と、前記検査ゾーン内又は前記検査ゾーンの近傍に配置される受信ユニットであって、前記検査ゾーンに生成されるスピン共鳴信号を受信するよう構成される受信機、及び前記インタフェースユニットに前記スピン共鳴信号を送信するよう構成される送信機を有する受信ユニットと、前記受信ユニット及び前記インタフェースユニットから離れた位置に配置される信号処理ユニットとを有し、
前記インタフェースユニットが、前記検査ゾーン内又は前記検査ゾーンの近傍に配置可能であり、かつ前記受信ユニットとは分離して配置可能であり、
前記インタフェースユニットは、前記スピン共鳴信号を受信する受信機と、前記受信されるスピン共鳴信号に基づき、デジタル信号を生成するアナログデジタル変換器と、前記デジタル化された信号を前記信号処理ユニットに送信する送信機とを有する、インタフェースユニット。
【請求項１０】
磁気共鳴イメージングシステムを動作させる磁気共鳴イメージング方法において、
検査のための身体を受け入れる検査ゾーンを与えるステップと、
前記検査ゾーンに磁場を生成するステップと、
前記検査ゾーン内又は前記検査ゾーンの近傍において、前記検査ゾーンに生成されるスピン共鳴信号を受信ユニットを用いて受信するステップと、
前記検査ゾーン内又は前記検査ゾーンの近傍に配置されるインタフェースユニットに前記受信ユニットから前記スピン共鳴信号を送信するステップであって、前記インタフェースユニットが前記受信ユニットとは分離して配置される、ステップと、
前記スピン共鳴信号を受信するステップと、
前記受信されるスピン共鳴信号に基づきデジタル信号を生成するステップと、
前記受信ユニット及び前記インタフェースユニットから離れた位置に配置される信号処理ユニットに前記デジタル化された信号を送信するステップとを有する、磁気共鳴イメージング方法。
【請求項１１】
磁気共鳴イメージングシステムを動作させるコンピュータプログラムであって、コンピュータで実行されるとき、
受信ユニットから該受信ユニットとは分離して配置されるインタフェースユニットに対してスピン共鳴信号を送信させるコンピュータ命令と、
前記インタフェースユニットにより前記スピン共鳴信号を受信させるコンピュータ命令と、
前記インタフェースユニットにおいて前記スピン共鳴信号に基づきデジタル信号を生成させるコンピュータ命令と、
前記インタフェースユニットから信号処理ユニットに前記デジタル化された信号を送信させるコンピュータ命令とを有する、コンピュータプログラム。
【発明の詳細な説明】
【技術分野】
【０００１】
本発明は、磁気共鳴イメージングシステム、磁気共鳴イメージングシステムを動作させる磁気共鳴イメージング方法、及び磁気共鳴イメージングシステムを動作させるコンピュータプログラムに関する。
【背景技術】
【０００２】
磁気共鳴イメージングは、検査ゾーンに配置される対象物の画像を形成するため電磁波を用いる技術である。特に、磁気共鳴イメージングは、器官の組織を画像化するのに使用される。この種の従来の装置においては、検査ゾーンに横たわる患者が磁場にさらされるよう、磁石が配置される。そして、体内における原子核の方向を変えさせるラジオ波が、検査ゾーンにある身体に向けて送信される。原子核が元の方向に戻ろうとするとき、ラジオ波が放出される。イメージング装置は、その放出されたラジオ波を受信ユニットにおいて受信し、受信されたラジオ波から得られるデータを使用して、検査ゾーンにおいて検査される身体の画像を形成する。
【０００３】
従来の磁気共鳴イメージング装置において、受信ユニットは、磁気ボアにおける患者の近くに配置されており、１つ又は複数の検出コイル／アンテナを有する。信号処理ユニットに信号データを送信するため、受信ユニットに含まれる要素が信号処理ユニットに同軸ケーブルを用いて接続される。信号処理ユニットは、そうした信号データを処理する。信号処理ユニットは、検査ゾーンから離れた位置に配置される。
【発明の開示】
【発明が解決しようとする課題】
【０００４】
検査ゾーンにおける身体の検査の間、複数の無線周波数アンテナが使用される。近代の磁気共鳴スキャナでは、例えば、8、16、32、64、...といった非常に多数の無線周波数チャネルが使用される。各アンテナは、個別の同軸ケーブルを必要とする。こうして、使用されるアンテナの数が増えるほど、体の周囲にある同軸ケーブルの扱いがより複雑になっていく。斯かる多数の同軸ケーブルを使用すると、費用がかかる、かさばる、及び磁気共鳴イメージング処理に干渉する環境的相互作用の影響を受けやすいことになる。更に、これらの同軸ケーブルの一部は、検査ゾーン内の動的な移動領域の周りを通さなければならず、結果、システムの信頼性を妥協させ、デザインの自由度を非常に低下させる。
【０００５】
本発明の目的は、磁気共鳴イメージングシステムにおけるケーブルの数をかなり減らすことにある。
【課題を解決するための手段】
【０００６】
本目的は、本発明による磁気共鳴イメージングシステムにより達成される。そのシステムは、検査のための身体を受け入れるよう構成される検査ゾーンと、検査ゾーンにおける磁場を生成する磁場生成手段と、検査ゾーン内又はその近傍に配置される受信ユニットと、検査ゾーン内又はその近傍に配置され、かつ上記受信ユニットとは分離して配置されるインタフェースユニットと、上記受信ユニット及び上記インタフェースユニットから離れた位置に配置される信号処理ユニットとを有する。上記受信ユニットは、検査ゾーン内に生成されるスピン共鳴信号を受信するよう構成される受信機と、インタフェースユニットへそのスピン共鳴信号を送信するよう構成される送信機とを有し、上記インタフェースユニットは、そのスピン共鳴信号を受信する受信機と、受信したスピン共鳴信号に基づき、デジタル信号を生成するアナログデジタル変換器と、デジタル化された信号を信号処理ユニットに送信する送信機とを有する。
【０００７】
本発明の目的は、磁気共鳴イメージングシステムにおいて使用するインタフェースユニットによっても達成される。その磁気共鳴イメージングシステムは、検査のための身体を受け入れるよう構成される検査ゾーンと、検査ゾーンにおける磁場を生成する磁場生成手段と、検査ゾーン内又はその近傍に配置される受信ユニットであって、検査ゾーン内に生成されるスピン共鳴信号を受信するよう構成される受信機、及びそのスピン共鳴信号をインタフェースユニットへ送信するよう構成される送信機を有する受信ユニットと、上記受信ユニット及び上記インタフェースユニットから離れた位置に配置される信号処理ユニットとを有する。上記インタフェースユニットは、検査ゾーン内又はその近傍に配置可能、かつ上記受信ユニットとは分離して配置可能であり、上記インタフェースユニットは、そのスピン共鳴信号を受信する受信機と、受信したスピン共鳴信号に基づき、デジタル信号を生成するアナログデジタル変換器と、デジタル化された信号を信号処理ユニットに送信する送信機とを有する。
【０００８】
本発明の目的は、磁気共鳴イメージングシステムを動作させる磁気共鳴イメージング方法によっても達成される。その方法は、検査のための身体を受け入れるよう構成される検査ゾーンを与えるステップと、検査ゾーンに磁場を生成するステップと、受信ユニットを用いて、上記検査ゾーンに生成されるスピン共鳴信号を上記検査ゾーン内又はその近傍で受信するステップと、上記検査ゾーン内又はその近傍に配置されるインタフェースユニットに上記受信ユニットから上記スピン共鳴信号を送信するステップであって、上記インタフェースユニットが上記受信ユニットとは分離して配置される、ステップと、上記スピン共鳴信号を受信するステップと、上記インタフェースユニットにおいて上記受信されるスピン共鳴信号に基づき、デジタル信号を生成するステップと、上記受信ユニット及び上記インタフェースユニットから離れた位置に配置される信号処理ユニットにデジタル化された信号を送信するステップとを有する。
【０００９】
本発明の目的は、磁気共鳴イメージングシステムを動作させるコンピュータプログラムによっても達成される。そのコンピュータプログラムは、コンピュータで実行されるとき、スピン共鳴信号を受信ユニットからその受信ユニットとは分離して配置されるインタフェースユニットへ送信させるコンピュータ命令と、上記インタフェースユニットにより上記スピン共鳴信号を受信させるコンピュータ命令と、インタフェースユニットにおいて上記スピン共鳴信号に基づきデジタル信号を生成させるコンピュータ命令と、上記インタフェースユニットから信号処理ユニットへデジタル化された信号を送信させるコンピュータ命令とを有する。従って、本発明に基づき必要な技術的効果は、本発明によるコンピュータ命令に基づき実現されることができる。斯かるコンピュータプログラムは、担体に格納されることができるか、又はインターネット若しくは他のコンピュータネットワークを介して利用可能とされることができる。実行に先立ち、例えばCD-ROMプレイヤを用いて担体から、又はインターネットからコンピュータプログラムを読み出し、それをコンピュータのメモリに格納することにより、コンピュータプログラムがコンピュータにロードされる。コンピュータは、特に、中央処理ユニット(CPU)、バスシステム、RAM又はROM等のメモリ手段及び入力／出力ユニットを含む。
【００１０】
本発明の核となるアイデアは、検査ゾーン又は検査ゾーンの近傍からその検査ゾーンの外にあるリモートの信号処理ユニットにデジタルフォーマットを用いて磁気共鳴信号データを送信することにより、ケーブルの数を減らすものである。これは、例えば、一本の接続ワイヤで済むような単純なデジタル接続の使用を可能にする。多数の束状の同軸ケーブルが必要とされることはなくなり、こうして、より安価でより信頼性の高い磁気共鳴イメージングシステムをもたらす。
【００１１】
このため、本発明は、送信されるべき信号をデジタル化するよう構成される追加的なインタフェースユニットを提供することを提案する。そのインタフェースユニットは、磁気共鳴システムの受信コイルとは分離して、検査ゾーン内又はその近傍に配置される。受信コイルのすぐ近く又は受信コイル装置そのものにインタフェースユニットを含ませないことにより、電子回路といった不要な要素を受信コイルに追加することから解放されることができる。代わりに、受信コイルは自由にデザインされることができ、非常に高い受信可能範囲(coverage)を達成するにあたりデザイン的な制約も課されない。言い換えると、最適なアンテナレイアウトを採用することができる。更に、受信コイルは、より柔軟な構成とすることができ、結果、患者に好適に適合することができる。受信コイルと送信コイルとは、電気的及び物理的に一体化されることができるので、この利点は、磁気共鳴イメージングシステムの送信コイルにも同様に適用できる。
【００１２】
本発明のこれら及び他の側面は、従属項において規定される以下の実施形態に基づき更に詳細に説明されることになる。
【００１３】
本発明の好ましい実施形態において、インタフェースユニットは、異なる受信機からスピン共鳴信号を受信するよう構成される。言い換えると、インタフェースユニットは、受信されたスピン共鳴信号に応じて信号を生成するため、システムのすべての受信コイルからスピン共鳴信号を収集し、それらをまとめるよう構成され、かつ、検査ゾーンの外側の信号処理ユニットへデジタル方式でスピン共鳴信号を送信するためそれらをデジタル化するよう構成される。必要とされるインタフェースユニットは一つでよいので、システムデザインはシンプルで安価なままにすることができる。
【００１４】
デジタル信号が送信されなければならないので、インタフェースユニット及び信号処理ユニットは好ましくは、シングルケーブル又は例えばシンワイヤ(thin wire)といった少数の並列ガルバニックケーブルで接続される。また、信号は光学ファイバを用いて送信される。この場合、インタフェースユニットは、電気光学トランスデューサを有し、送信される信号を信号処理ユニットに供給する第２の電気光学トランスデューサがリモートの場所に与えられる。また、無線リンクが使用されることもできる。この場合、インタフェースユニットは、無線波等を介して信号処理ユニットへデジタル化された信号を送信するよう構成される無線送信機を有する。ここでも信号処理ユニットに対して、無線受信機が与えられる。すべての送信機及び受信機は、好ましくは、トランシーバの一部であり、結果、両方の態様でのデータ送信を可能にする。
【００１５】
すべての場合において、ケーブルの数は、かなり削減される。１つの接続パスのみを用いてたくさんのデータを送信するために、インタフェースユニットは好ましくは、信号処理ユニットに対するシリアルリンクを提供するよう構成される。従って、インタフェースユニットは好ましくは、デジタル化の前にアナログ信号をシリアル化する要素を有する。
【００１６】
本発明の別の好ましい実施形態において、インタフェースユニットは、信号調整手段を有する。好ましくは、アナログ信号調整手段(つまり、プリアンプ、減衰器、フィルタ等)がインタフェースユニットに与えられる。斯かる信号調整手段は、受信ユニットにも構成されることができる。しかしながら、信号調整手段は、インタフェースユニットにのみ提供されることが好ましく、信号調整手段が、無線周波数コイル自身には必要とされないことが好ましい。結果、自由で制約のないコイルデザインが可能となる。好ましくは、アナログデジタル変換器に必要な入力電圧に出力信号が適合するよう、プリアンプがデザインされる。好ましくは、増幅された信号をアナログデジタル変換器の入力に適合させるため、増幅信号を調整するプリアンプの下流に、減衰制御機能付きバンドフィルタも与えられる。
【００１７】
インタフェースユニットが部分的又は完全に一体化された回路として実現される場合、インタフェースユニットの寸法は、非常に小さなものとすることができ、結果、小さなシールド寸法を使用することを可能にする。好ましくは、アナログデジタル変換器及び／又は信号調整手段が、例えば、システムオンチップ(SOC)、マルチチップ／マルチダイモジュールのような一体化された回路としてパッケージ化される。オプションで、他の電子機器がチップに同様に含まれていてもよい。
【００１８】
回路に一体化される場合、インタフェースユニットは、システムの既存の部分に容易に一体化されることができる。この場合、ケーブルがなく(無線リンクを使用する場合)、追加的な構造要素もない、整然としてすっきりしている今までにない検査ゾーンをデザインすることができる。斯かる検査ゾーンにおいては、患者又は不注意な操作者若しくは助手により装置がダメージを受けるというポテンシャルリスクが非常に減らされる。
【００１９】
好ましくは、インタフェースユニットは、検査ゾーン内に身体を配置するテーブル内又はテーブルに配置される。特に、インタフェースユニットは、テーブルトップ又はテーブルトップ担体に固定されるか、又は一体化される。受信コイルが、移動可能なテーブルトップ又はテーブルトップ担体に同様に接続される場合、受信ユニットをインタフェースユニットに接続するには短いケーブル接続のみが必要とされる。操作室につながる残りのケーブルは(もしあれば)、好ましくは、例えば、移動可能な台車とすることができるテーブルトップ支持部を介して配線される。
【００２０】
本発明の別の好ましい実施形態において、兼用型(combined)送信／受信コイルが使用される。言い換えると、無線周波数受信機は、代わりに、原子核を励起するための測定パルスを生み出す無線周波数送信機として使用される。好ましくは、同じ信号送信経路が、受信処理にも使用され、こうして、デジタルアナログ変換器がインタフェースユニットに与えられる。デジタルアナログ変換器は、好ましくは、操作室からの信号データを受信し、それらのデータを変換し、及びその信号データを生成器に送信するよう構成される。生成器は、好ましくはインタフェースユニットの一部であり、無線周波数信号を送信機のために生成するよう構成される。これらの無線周波数信号は、好ましくは、送信コイルに対して与えられる無線周波数増幅器を用いて増幅される。無線周波数増幅器は、好ましくは、同様にインタフェースユニットに配置される。デジタルアナログ変換器及び他の要素は、好ましくは、インタフェースユニットの回路デザインに一体化されることもできる。
【発明を実施するための最良の形態】
【００２１】
本発明のこれら及び他の側面が、以下の実施形態、及び対応する図面を参照し、例示を介して、以下詳細に説明されることになる。
【００２２】
磁気共鳴イメージングシステム１は、電磁シールド４によって分離される、操作室２と検査室３とを有する。検査ゾーン５は、検査のための身体(図示省略)を受け入れるよう構成される。この目的のため、身体は、患者支持部７のテーブルトップ６に置かれる。矢印８で示されるよう、テーブルトップ６は移動されることができる。
【００２３】
磁気共鳴イメージングシステム１は、検査ゾーン５内に磁場を生成する磁場生成手段９を更に有する。磁場生成手段９は、静磁場を生成する多数の磁石１０と、傾斜アンプ１２及び傾斜コイル１３を有する傾斜磁場システム１１とを有する。傾斜システム１１は、空間選択及び空間エンコーディングのため必要とされる。
【００２４】
磁気共鳴イメージングシステム１は、受信／送信ユニット１４を更に有する。受信／送信ユニット１４は、テーブルトップ６の位置に応じて、検査ゾーン５内又は検査ゾーン５の近傍のいずれかに配置される。受信／送信ユニット１４は、検査ゾーン５において生成されたアナログの磁気スピン共鳴信号を取得するよう構成される兼用型(combined)受信／送信コイル１５の形式で多数の受信機／送信機を有する。受信／送信ユニット１４は、受信／送信ユニット１４から分離して配置されるインタフェースユニット１７に対してスピン共鳴信号を送信するよう構成される送信機１６を更に有する。多数の受信／送信コイル１５が、移動可能なテーブルトップ６に接続され、及びテーブルトップ６に一体化される従来のアナログ同軸ケーブル１８を用いて、インタフェースユニットに接続される。そのケーブルは、点線で図示されている。同軸ケーブルの代わりに、ツイステッドペア又はストリップラインといった別のRF導線が使用されることができる。
【００２５】
インタフェースユニット１７は、テーブルトップ６の一端に固定され、テーブルトップ６の位置に基づき、検査ゾーン５内又は検査ゾーンの近傍のいずれかに配置される。インタフェースユニット１７は、検査室３における受信／送信コイル１５及びテーブルトップ６と操作室２に配置される磁気共鳴イメージングシステムの要素との間のインタフェースとなる。インタフェースユニット１７は、システムのすべての受信／送信コイル１５からスピン共鳴信号を受信するよう構成される。つまり、インタフェースユニットは、マルチチャネルの無線周波数信号取得システムの一部である。
【００２６】
インタフェースユニット１７は、受信されるスピン共鳴信号に応じて、デジタル信号を生成するよう構成されるアナログデジタル変換器１９と、トランシーバ２０とを有する。トランシーバ２０は、受信／送信ユニット１４のトランシーバ１６からの信号を受信し、シリアルリンクを用いる単一のシンケーブル２２を介して検査室３の外にある信号処理ユニット２１へデジタル化された信号を供給するよう構成される。インタフェースユニット１７は、デジタル化の前段でアナログ信号をシリアル化する要素２３を有する。オプションで、インタフェースユニット１７は、信号処理ユニットへの送信の前に、デジタル化された信号のプリプロセッシングを実行するデジタル信号処理手段(図示省略)を有する。単一のケーブル２２は、インタフェースユニット１７のトランシーバ２０から磁場生成手段９の制御デバイス２４を介して信号処理ユニット２１へ延びる。
【００２７】
インタフェースユニット１７は、信号調整手段３０を更に有し、それは、特に言えば、アナログデジタル変換器１９に必要な入力電圧に出力信号を適合させるよう構成されるプリアンプである。信号調整手段３０は、増幅された信号をアナログデジタル変換器１９の入力に適合させるため、増幅された信号を調節する減衰制御付きバンドフィルタを更に有する。
【００２８】
インタフェースユニット１７は、トランシーバ２０により受信される操作室２からの信号データを変換するデジタルアナログ変換器２５を有する。そして、変換された信号データは、デジタルアナログ変換器２５から、送信コイル１５のため無線周波数信号を生成するよう構成される生成器２６へ送信される。更に、無線周波数信号を増幅するためインタフェースユニット１７に無線周波数増幅器２７が与えられる。無線周波数信号は、受信／送信ユニット１４のトランシーバ１６に送信される。トランシーバ１６は、そうした信号を受信するよう構成される。インタフェースユニット１７に必要な電力供給源は表示されていない。
【００２９】
インタフェースユニット１７は、コイル１５には含まれていないので、コイルデザインが制約又は制限されることはない。他の電子機器がコイル１５自身から除去されたとしてもなお、自由にコイルデザインができることの利点は好適に活用されることができる。例えば、電子回路及びスイッチを含む、受信コイルの共鳴周波数を変化させる離調手段(図示省略)は除去されることができる。これは、コイルと離調手段との間の1/4 ラムダ(quarter lambda)送信線を用いることにより構成されることができる。
【００３０】
磁気共鳴イメージングシステム１の信号処理ユニット２１は、検査ゾーン５、受信ユニット１４及びインタフェースユニット１７から離れた操作室２に配置される。信号処理ユニット２１は、デジタル信号処理のために構成される。従って、送信されるデジタルデータは、いずれの追加的な変換なく、信号処理ユニット２１に供給されることができる。信号処理ユニット２１は、デジタル信号処理、画像処理及びデータ取得制御のための取得及び制御システム２８の一部である。取得及び制御システム２８は、測定されたデータが再構成されて表示される再構成システム２９に接続される。再構成システム２９だけでなく、信号処理ユニット２１を含む取得及び制御システム２８は、(少なくとも部分的に)コンピュータで実行されるコンピュータソフトウェアとして実現される。
【００３１】
本発明は、前述した説明目的の実施形態の詳細に限定されるものでなく、本発明は、その精神又は本質的な属性から逸脱することなく、他の特性の形式においても実現されることができることは当業者には明らかであろう。従って、本発明の実施形態は、すべての側面において説明目的であって限定するものではなく、本発明の範囲は、前述の詳細な説明ではなく添付された請求項により指定されるものであり、従って、請求項と均等の意味及び範囲内に含まれるすべての変更は、そこに包含されるものと考えられるべきである。更に、単語「comprising(有する)」が、他の要素又はステップの存在を排除するものではないこと、単語「a」又は「an」は複数性を排除するものではないこと、及び単一の要素、例えばコンピュータシステム又は他のユニットが、請求項に記載された複数の手段の機能を果たすことができることも同様に明らかであろう。請求項におけるいかなる参照符号も関連する請求項を限定するものとして解釈されるべきではない。
【図面の簡単な説明】
【００３２】
【図１】本発明の要素の配置を示す磁気共鳴イメージングシステムの第１の図である。
【図２】本発明による磁気共鳴イメージングシステムの第２のより概略的な図である。
【図１】
2008534104.tif 000003
【図２】
2008534104.tif 000004
【国際調査報告】
2008534104.tif 000005
2008534104.tif 000006
2008534104.tif 000007